(57)【要約】【課題】収納室に収納された被冷却物を全域に亘ってむらなく冷却する。【解決手段】冷却庫本体１０内における間口方向の一側に寄った位置にダクトパネル１５が張られ、その両側に収納室１６と冷却器室１７とが形成される。収納室１６には、複数の棚網２０が張られて蓄冷剤２５の収納スペース２３が複数段に亘って形成される。冷却器室１７内の下部領域に冷却器３０が配され、ダクトパネル１５における冷却器３０の正面に吸込口３５が形成されるとともに、吸込口３５よりも上方の領域に、庫内ファン４０が上下２段に配設される。上段の庫内ファン４０ｕが、最上段の収納スペース２３ｄの略中央高さ位置に対応した位置に、下段の庫内ファン４０ｄが、吸込口３５よりも上方側において吸込口３５に最も近い上から２段目の棚網２０ｃと対応した位置に配される。【選択図】図２
2012047389.tif 000002
【特許請求の範囲】
【請求項１】
前面開口でかつ同前面開口に断熱扉を装着してなる断熱性の冷却庫本体の内部には、間口方向の一側に寄った位置にダクトパネルが張られて、同ダクトパネルを挟んだ間口の広い側に収納室が、狭い側に冷却器室が形成され、
前記収納室には、複数の棚網が上下方向に間隔を開けて配設されることで、被冷却物を収納する収納スペースが複数段に亘って形成されている一方、
前記冷却器室内の下部領域に冷却器が配されて、前記ダクトパネルにおける前記冷却器の正面に吸込口が形成されているとともに、同ダクトパネルにおける前記吸込口よりも上方の領域には、前記吸込口を通して吸引された庫内空気が前記冷却器を通過する間に生成された冷気を前記収納室に向けて吹き出す庫内ファンが複数段に亘って配設され、
かつ、最上段の前記庫内ファンが、最上段の前記収納スペースの略中央高さ位置に対応した位置に、最下段の前記庫内ファンが、前記吸込口よりも上方側において同吸込口に最も近い前記棚網と対応した位置に配されていることを特徴とする冷却庫。
【請求項２】
各段における前記庫内ファンは、奥行方向において複数個が並んで配設されていることを特徴とする請求項１記載の冷却庫。
【請求項３】
ファン装着板に対して前記庫内ファンを所定の配置で装着したファンユニットが備えられるとともに、前記ダクトパネルにおける庫内ファンの装着領域には装着開口が形成され、前記ファンユニットの前記ファン装着板が、前記装着開口に対して着脱可能に被着されるようになっていることを特徴とする請求項１または請求項２記載の冷却庫。
【請求項４】
前記被冷却物が蓄冷剤であって、通気性の周壁を有する収容箱内に複数の前記蓄冷剤が整列して入れられ、前記収容箱ごと前記棚網に載せられて同棚網上の収納スペースに収納されるようになっていることを特徴とする請求項１ないし請求項３のいずれか一項に記載の冷却庫。
【発明の詳細な説明】
【技術分野】
【０００１】
本発明は、蓄冷剤凍結庫等の冷却庫に関する。
【背景技術】
【０００２】
従来、蓄冷剤凍結庫の一例として、特許文献１に記載されたものが知られている。このものは、前面開口でかつ同前面開口に断熱扉を装着してなる断熱性の冷却庫本体の内部において、間口方向の一側に寄った位置にダクトパネルが張られることにより、同ダクトパネルを挟んだ間口の広い側に収納室が、狭い側に冷却器室が形成され、収納室には、複数の棚網が上下方向に間隔を開けて配設されることで、蓄冷剤を収納する収納スペースが複数段に亘って形成されている一方、冷却器室内の下部領域には冷却器が配されて、ダクトパネルにおける冷却器の正面に吸込口が形成されているとともに、同ダクトパネルにおける吸込口の形成領域の上下両側に庫内ファンが設けられた構造である。そして、庫内ファンが駆動されると、吸込口を通して吸引された庫内空気が上下に分かれるようにして冷却器を通過する間に冷気が生成され、この冷気が上下の庫内ファンから収納室の上部位置と下部位置とに吹き出されるといった循環流が生じ、棚網上に収納された蓄冷剤が凍結されるようになっている。
【先行技術文献】
【特許文献】
【０００３】
【特許文献１】特開２００４−１１９３１号公報
【発明の概要】
【発明が解決しようとする課題】
【０００４】
ところで蓄冷剤を収納室に収納する一形態として、コンテナと称する上面開口で周壁に多数の通孔を開けた収容箱内に、複数の蓄冷剤を整列して入れ、コンテナごと棚網に載せて同棚網上の収納スペースのほぼ一杯に詰めて収納する形態が挙げられる。  
このような収納形態を採って凍結運転を行った場合、冷気は元々下方に沈みやすいし、コンテナの壁が邪魔になることも手伝って、特に最上段の収納スペースに載置された蓄冷剤に冷気が当たり難い嫌いがある。また、吸込口に近い高さの収納スペースでは、吹き出された冷気の一部がコンテナの壁に当たって跳ね返りつつ直ちに吸込口から吸い込まれてしまう、いわゆるショートサイクルが生じ、同収納スペースの蓄冷剤も冷やされ難い嫌いがあり、結果、収納箇所によって凍結具合にむらができるおそれがあった。  
本発明は上記のような事情に基づいて完成されたものであって、その目的は、収納室に収納された被冷却物を全域に亘ってむらなく冷却できるようにするところにある。
【課題を解決するための手段】
【０００５】
本発明の冷却庫は、前面開口でかつ同前面開口に断熱扉を装着してなる断熱性の冷却庫本体の内部には、間口方向の一側に寄った位置にダクトパネルが張られて、同ダクトパネルを挟んだ間口の広い側に収納室が、狭い側に冷却器室が形成され、前記収納室には、複数の棚網が上下方向に間隔を開けて配設されることで、被冷却物を収納する収納スペースが複数段に亘って形成されている一方、前記冷却器室内の下部領域に冷却器が配されて、前記ダクトパネルにおける前記冷却器の正面に吸込口が形成されているとともに、同ダクトパネルにおける前記吸込口よりも上方の領域には、前記吸込口を通して吸引された庫内空気が前記冷却器を通過する間に生成された冷気を前記収納室に向けて吹き出す庫内ファンが複数段に亘って配設され、かつ、最上段の前記庫内ファンが、最上段の前記収納スペースの略中央高さ位置に対応した位置に、最下段の前記庫内ファンが、前記吸込口よりも上方側において同吸込口に最も近い前記棚網と対応した位置に配されている構成としたところに特徴を有する。
【０００６】
庫内ファンを複数段に分けて配して、その内の最上段の庫内ファンを最上段の収納スペースに正対させて配したから、最上段の収納スペースに収納された被冷却物に向けて冷気を確実に吹き付けることができる。また、最下段の庫内ファンは、吸込口の上方で同吸込口に最も近い棚網と正対させて配したから、同庫内ファンから吹き出された冷気は、その棚網と、その棚網の下側の収納スペースに収納された被冷却物の上面の間を通って、ショートサイクルを生じることなく収納室の反対側の端部まで吹き抜け、被冷却物が有効に冷却される。  
結果、従来冷気が当たり難い等で冷却され難いとされていたところの、最上段の収納スペースや、吸込口に近い高さの収納スペースに収納された被冷却物に対して冷却能力を向上させることができ、収納室に収納された被冷却物を全域に亘ってむらなく冷却することができる。
【０００７】
また、以下のような構成としてもよい。  
（１）各段における前記庫内ファンは、奥行方向において複数個が並んで配設されている。被冷却物の手前側や奥側を通って冷気が流れやすくなり、被冷却物をより冷却しやすくなる。
【０００８】
（２）ファン装着板に対して前記庫内ファンを所定の配置で装着したファンユニットが備えられるとともに、前記ダクトパネルにおける庫内ファンの装着領域には装着開口が形成され、前記ファンユニットの前記ファン装着板が、前記装着開口に対して着脱可能に被着されるようになっている。  
例えば、大きさの異なる被冷却物を収納すること等に対応して、棚網の数と装着高さとを異にした複数の態様で使用することがあり、その場合は、ダクトパネルにおける庫内ファンの配設位置も変更する必要がある。そのため、ファン装着板に対して、棚網の各種配設態様に適合した配置で庫内ファンを装着したファンユニットを各種備え、棚網の配設態様に応じて適正なファンユニットをダクトパネルの装着開口に対して取り付けるようにする。  
冷却庫の使用形態に応じて庫内ファンの配設位置を適合させる場合に、ファンユニットを選択して装着するだけでよいから、ダクトパネルごと変更する場合と比べて、安価にかつ簡単な作業で対応することができる。
【０００９】
（３）前記被冷却物が蓄冷剤であって、通気性の周壁を有する収容箱内に複数の前記蓄冷剤が整列して入れられ、前記収容箱ごと前記棚網に載せられて同棚網上の収納スペースに収納されるようになっている。  
冷気が回り難いとされる蓄冷剤を収納した場合も、全域に亘って満遍なく、かつ有効に冷気を当てることができて、効率の良い凍結機能を発揮することができる。
【発明の効果】
【００１０】
本発明によれば、収納室に収納された被冷却物を全域に亘ってむらなく冷却することができる。
【図面の簡単な説明】
【００１１】
【図１】本発明の実施形態１に係る蓄冷剤凍結庫の開扉状態の斜視図
【図２】蓄冷剤凍結庫の一部切欠正面図
【図３】その側面から見た断面図
【図４】蓄冷剤を収容したコンテナの概略平面図
【図５】ダクトパネルからの除霜水の受け面の形成部分を示す斜視図
【図６】ドレンシュータの配設構造を示す部分断面図
【図７】除霜水の排水経路を示す部分正面図
【図８】その拡大断面図
【発明を実施するための形態】
【００１２】
＜実施形態１＞
本発明の実施形態１を図１ないし図８によって説明する。この実施形態では、蓄冷剤凍結庫を例示している。  
図１ないし図３において、符号１０は、前面開口の縦長の断熱箱体からなる凍結庫本体であって、底面の四隅に設けられた脚１１で支持されているとともに、前面開口部１２には断熱扉１３が揺動開閉可能に支持されている。  
本体１０内には、図２に示すように、正面から見た右側面に寄った位置に、ステンレス鋼板等の金属板からなるダクトパネル１５が縦向きに張られており、ダクトパネル１５を挟んだ左側の約３／４の領域が収納室１６とされ、右側の残りの領域が冷却器室１７とされている。冷却器室１７の手前側の開口は、前面板１８で閉鎖されている。
【００１３】
収納室１６には、奥面の左右両端部と、左右の側面（右側面はダクトパネル１５）の手前側の端部との都合４箇所に棚柱２１が取り付けられ、４枚の棚網２０が、それぞれの四隅を各棚柱２１に装着された棚受金２２で受けられることにより、上下方向に一定間隔を開けて配されており、各棚網２０の上方に、蓄冷剤２５を収納する収納スペース２３が４段に亘って形成されている。各収納スペース２３はほぼ同じ高さを有し、収納室１６内の高さ領域をほぼ４等分するようにして設けられている。  
なお、棚網２０と収納スペース２３について、段ごとに区別する場合には、最下段から最上段に向けて、それぞれ符号２０，２３に添え字ａ〜ｄを付して区別する。
【００１４】
蓄冷剤２５はコンテナ２６に収容された形態で、収納スペース２３に収納される。蓄冷剤２５は、ポリエチレン等の合成樹脂製のハードケース内にゲル化剤が充填された公知のものであって、全体としては平面長方形の厚板形状をなしている。  
コンテナ２６は、同じく合成樹脂製で上面開口の箱形に形成されており、図３に示すように、各収納スペース２３に対して奥行方向に２個並んでほぼすっぽりと収納し得る縦横の幅と、収納スペース２３の全高よりも少し低い高さ寸法とを有している。コンテナ２６の周壁には、それぞれの全面に亘り、例えば丸孔からなる多数の通孔２７が整列して開口されているとともに、前後の面には把手口２８が形成されている。
【００１５】
コンテナ２６内には、図４に示すように、複数（例えば１８個）の蓄冷剤２５が、左右２列に亘って若干の隙間を開けつつ並んで収容されるようになっている。このように蓄冷剤２５を収容したコンテナ２６が、棚網２０に載せられて、上記のように奥行方向に２個並んで収納スペース２３に収納されるようになっている。
【００１６】
一方、冷却器室１７内には、図２に示すように、その下部領域において冷却器３０が配設されている。冷却器３０は、冷却器室１７の奥行寸法よりも少し狭い横幅と、各収納スペース２３の高さよりも少し大きい縦幅とを持ったやや扁平な方形のブロック状をなしており、エンドプレートから背面側に延出された取付板３１を、冷却器室１７における右側面（ダクトパネル１５の裏面と対向した面）にねじ止めする等で取り付けられている。より詳細には、冷却器３０は、冷却器室１７の奥行方向のほぼ中央部に位置し、かつ同冷却器３０の中央高さ位置が、下から２段目の棚網２０ｂの少し上方に来る配置で設置されている。  
冷却器３０は、本体１０の上面に設けられた機械室３３内に格納された冷凍装置（図示せず）と冷媒配管３４により循環接続され、周知の冷凍サイクルが構成されている。
【００１７】
収納室１６と冷却器室１７とを仕切る上記したダクトパネル１５には、冷却器３０の正面と対応する位置において、同冷却器３０の正面全面よりも一回り小さい範囲に亘って吸込口３５が形成されている。同吸込口３５は詳細には、多数の縦向きのスリット３６を縦横に整列して開口することにより、正面ほぼ正方形をなすように形成されている。  
このダクトパネル１５における吸込口３５よりも所定寸法下方には、図５及び図７に示すように、収納室１６側に段差状に張り出した張出部１５ａが形成されている。張出部１５ａの上面の位置は、図２に示すように、最下段の収納スペース２３ａのほぼ１／４高さ位置に対応している。
【００１８】
ダクトパネル１５における吸込口３５よりも上方の領域には、庫内ファン４０が装着されている。庫内ファン４０はファンモータであって、表面側がカバー４１で覆われている。庫内ファン４０は４基備えられ、収納室１６の奥行方向に２基並び、かつ上下２段に亘って配されている。  
上段側の２基の庫内ファン４０ｕは、最上段の収納スペース２３ｄの略中央高さ位置に対応した位置に配されている。一方、下段側の２基の庫内ファン４０ｄは、上から２段目の棚網２０ｃと対応した位置に配されている。  
また、上下各段の２個の庫内ファン４０ｕ，４０ｄにおける収納室１６の奥行方向の位置は、図３に示すように、収納スペース２３に２個のコンテナ２６が収納された場合に、手前側と奥側の庫内ファン４０ｕ，４０ｄがそれぞれ、手前側と奥側のコンテナ２６における奥行方向のほぼ中央位置に対応するようになっている。
【００１９】
基本的な冷却運転は、冷凍装置と庫内ファン４０が駆動されることで行われ、図２の矢線に示すように、吸込口３５を通して吸引された庫内空気が冷却器３０を上方に向けて通過する間に熱交換により冷気が生成され、この冷気が庫内ファン４０ｕ，４０ｄから収納室１６に吹き出されるといった循環流が生じ、棚網２０上に収納された蓄冷剤２５が冷却（凍結）されるようになっている。本実施形態では、収納室１６内が「−４０℃」程度まで冷却される。
【００２０】
上記のように庫内温度を「−４０℃」程度といった極低温域まで下げるためには、冷却器３０は相応の低温状態に維持される必要があり、着霜が生じやすいと言える。そのため適宜に除霜運転が行われ、冷却器３０の下面と正面とに、シーズヒータからなる除霜ヒータ４２が装着されている。
【００２１】
一方、冷却器３０の下方には、冷却器３０からの除霜水を受けて庫外へ排出するためのドレンシュータ４５が配設されている。ドレンシュータ４５の配設位置はより詳細には、冷却器室１７内の底部側であるダクトパネル１５の張出部１５ａが設けられた拡幅部１７ａ内において、奥行並びに幅一杯に配されるようになっている。  
ドレンシュータ４５は、ステンレス鋼板等の金属板製であって、図６に示すように、手前側から奥側に向けて下り勾配となった底板４６の左右並びに奥縁に側板（側面板４７ａ，４７ｂと奥面板４７ｃ）を立ち上がり形成した形状となっている。
【００２２】
このドレンシュータ４５が、左右の側面板４７ａ，４７ｂと奥面板４７ｃを、冷却器室１７の拡幅部１７ａにおける左右の側壁と奥壁にそれぞれ当て、左右の側面板４７ａ，４７ｂをねじ４８で止めることによって固定されている。  
特筆すべきは、ドレンシュータ４５における正面から見た左側面板４７ａが、拡幅部１７ａの左側壁であるダクトパネル１５の張出部１５ａの裏面に密着して取り付けられていることであり、その際、左側面板４７ａが張出部１５ａの上面と干渉しないように、右側面板４７ｂよりも背が低く形成されている。  
ドレンシュータ４５の奥面板４７ｃの下端位置には、排水管４９が突出して設けられ、同排水管４９が、本体１０の背面壁１０ａの下端部に設けられた排水路５２に進入して接続されている。
【００２３】
なおドレンシュータ４５上には、冷却器３０から霜が塊となって落下する可能性があり、この霜の塊が排水管４９に詰まって凍結するおそれがある。そのため、ドレンシュータ４５の底板４６の下面（外面）には、コードヒータからなる補助ヒータ５０が装着され、霜の塊が落下した場合にこれを速やかに融かすようになっている。
除霜ヒータ４２と補助ヒータ５０とは、共に除霜運転の開始時にオンされる一方、除霜ヒータ４２は除霜運転終了時にオフされ、補助ヒータ５０は除霜運転の終了後に設定される水切り時間（１０分程度）の経過後にオフされるようになっている。
【００２４】
また、当該凍結庫では、上記のように庫内が「−４０℃」程度といった極低温域にまで冷却され、庫内の一壁面を構成するダクトパネル１５も相応に低温となっているため、例えば冷却（凍結）運転中に断熱扉１３が開閉されて外気が導入されると、冷却器３０に着霜することに加えて、ダクトパネル１５における吸込口３５の形成領域１５ｂ付近の表面にも着霜しやすいという事情がある。  
そこで上記した除霜運転時には、冷却器３０に装備された除霜ヒータ４２の輻射熱等により、ダクトパネル１５における吸込口３５の形成領域１５ｂ付近の裏面側が加熱され、表面側の着霜が併せて融かされるようになっている。
【００２５】
この吸込口３５の形成領域１５ｂ付近の表面からの除霜水の排出経路は、以下のようである。上記したように、ダクトパネル１５における吸込口３５よりも所定寸法下方には、収納室１６側に段差状に張り出した張出部１５ａが形成されており、この張出部１５ａの上面が、吸込口３５の形成領域１５ｂ付近の表面からの除霜水を受ける受け面５５とされている。  
上記のように、ドレンシュータ４５の左側面板４７ａがダクトパネル１５の張出部１５ａの裏面に密着して固定されているのであるから、張出部１５ａの上面である受け面５５は、ダクトパネル１５の表面に繋がった基端側の大部分の面が、ドレンシュータ４５の内部の上方に臨んでいることになる。
【００２６】
受け面５５における基端側の隅部には、断面Ｌ字形をなす排水孔５７が、同受け面５５における収納室１６側から見た横幅方向のほぼ全幅に亘って形成されている。より詳細には、排水孔５７は、図３及び図５に示すように、小幅の仕切部５８で仕切られつつ、横幅方向に沿って、複数に分割されて形成されている。また、受け面５５における各仕切部５８から内側に入った位置ごとに、補助排水孔５９が開口されている。上記した排水孔５７と補助排水孔５９の全てが、ダクトパネル１５寄りの端部ではあるがドレンシュータ４５の内部の上方に臨んでいることになる。  
また上記したように、ドレンシュータ４５の左側面板４７ａが、受け面５５の直ぐ下の位置において張出部１５ａの裏面に密着されているから、ドレンシュータ４５の下面に配された補助ヒータ５０が発熱した場合、その熱が、ドレンシュータ４５の左側面板４７ａから張出部１５ａを介して受け面５５まで伝導されるようになっている。
【００２７】
続いて、本実施形態の凍結庫の使用例を説明する。蓄冷剤２５はほぼ一昼夜を掛けて凍結され、例えば当日の朝に、前日から収納されて凍結された蓄冷剤２５を取り出し、そののち別途保管されていた凍結前の蓄冷剤２５を収納し、次の日の朝に亘って完全凍結するようになっている。  
蓄冷剤２５を凍結するには、図４に示すようにコンテナ２６内に蓄冷剤２５を整列して収容したのち、コンテナ２６を棚網２０に載せつつ、奥行方向に２個並べて各段の収納スペース２３に収納する。
【００２８】
この状態で、冷凍装置並びに各庫内ファン４０が駆動されると、図２の矢線に示すように、収納室１６の庫内空気が、ダクトパネル１５の下部領域に設けられた吸込口３５を通って冷却器３０に向けて吸引され、同冷却器３０を上方に向けて通過する間に熱交換されて冷気が生成される。この冷気が、ダクトパネル１５の上部領域に上下２段に亘って設けられた庫内ファン４０ｕ，４０ｄから収納室１６に向けて吹き出されるといった循環流が生じ、冷気が通孔２７や上面開口からコンテナ２６内を流通しつつ収容された蓄冷剤２５が冷却され、ついには凍結されることになる。
【００２９】
ここで、ダクトパネル１５に配された４基の庫内ファン４０のうち、上側の２基の庫内ファン４０ｕは、最上段の収納スペース２３ｄに収納された前後２個のコンテナ２６の略中央部にそれぞれ正対した形態で配されているから、両コンテナ２６に向けて確実に冷気を吹き付けてその内部に流通させることができ、また、奥側のコンテナ２６と奥壁との間、手前側のコンテナ２６と断熱扉１３との間の隙間を通って、冷気がスムーズに収納室１６の反対側の端部（正面から見た左端部）側に流れる。
【００３０】
また、下側の２基の庫内ファン４０ｄは、吸込口３５の上方で同吸込口３５に最も近い上から２段目の棚網２０ｃと正対して配されていて、言い換えると、両庫内ファン４０ｄの下半分の吹出領域が、同棚網２０ｃと、その下の収納スペース２３ｂに収納されたコンテナ２６の上端との間の隙間と正対している。そのため、両庫内ファン４０ｄの下半分の吹出領域から吹き出された冷気は、上記した隙間を通り、吸込口３５に直ぐに吸い込まれるショートサイクルを生じることなく、収納室１６の反対側の端部まで吹き抜ける。
【００３１】
なお、下側の２基の庫内ファン４０ｄの上半分の吹出領域から吹き出された冷気は、その一部が上から２段目の収納スペース２３ｃに収納されたコンテナ２６の底部に当たって跳ね返るが、その下方には収納室１６の左端部まで吹き抜ける冷気の流れがあるから、跳ね返った冷気も、エゼクタ効果によって吹き抜ける流れに乗り、ショートサイクルを起こすことはない。下側の２基の庫内ファン４０ｄについても、前後に分かれて配されていることで、上から２段目の収納スペース２３ｃに収納された奥側のコンテナ２６の奥と、手前側のコンテナ２６の手前の隙間にスムーズに冷気を回すことができる。
【００３２】
このように、従来冷気が当たり難い等で冷却され難いとされていたところの、最上段の収納スペース２３ｄに収納されたコンテナ２６（蓄冷剤２５）や、吸込口３５に近い高さの上から２段目と３段目の収納スペース２３ｃ，２３ｂに収納されたコンテナ２６（蓄冷剤２５）に対しても冷気が当たりやすくなり、すなわち冷却能力を向上させることができ、収納室１６に収納された蓄冷剤２５が全域に亘ってむらなく冷却（凍結）される。
【００３３】
このような冷却（凍結）運転の間、冷却器３０や、ダクトパネル１５における吸込口３５の形成領域１５ｂ付近の表面に着霜する可能性が高く、そのため適宜に除霜運転が行われる。  
除霜運転は、冷凍装置と庫内ファン４０の駆動が停止された状態で、冷却器３０の下面と正面に装備された除霜ヒータ４２に通電され、併せてドレンシュータ４５の底板４６の外底面に装着された補助ヒータ５０に通電されることで行われる。
【００３４】
除霜ヒータ４２の発熱により冷却器３０が加熱されることで、同冷却器３０に付着した霜が融かされ、冷却器３０から滴下した除霜水はドレンシュータ４５で受けられたのち、下端の排水管４９から排水路５２を通って庫外に排水される。このときドレンシュータ４５上に霜の塊が落下する場合があるが、ドレンシュータ４５の底板４６が補助ヒータ５０で加熱されているために、落下した霜の塊も速やかに融かされ、排水管４９等に詰まることなく同様に庫外に排水される。
【００３５】
上記の除霜運転の際、主に冷却器３０の正面に配された除霜ヒータ４２の発熱を受けて、ダクトパネル１５における吸込口３５の形成領域１５ｂの裏面側が併せて加熱される。そのため、表面側に着霜があった場合にはこれが融かされ、図８の矢線に示すように、除霜水がダクトパネル１５の表面を伝って受け面５５に達したのち、同受け面５５の基端側の隅部に開口された排水孔５７を通ってドレンシュータ４５に滴下して受けられる。このとき、吸込口３５の形成領域１５ｂ付近の着霜量が多いと、例えば吸込口３５の前後両側から霜の塊が受け面５５上に落下する可能性がある。しかしながら、ドレンシュータ４５の左側面板４７ａがダクトパネル１５の張出部１５ａの裏面に接触していることから、補助ヒータ５０の熱が伝導して受け面５５が加熱され、同受け面５５に落下した霜の塊も速やかに融かされて排水孔５７に詰まることなくドレンシュータ４５内に滴下する。
【００３６】
なお、排水孔５７は仕切部５８で仕切られつつ分割して形成されているから、受け面５５に流下した除霜水の一部が仕切部５８上に残るおそれがあるが、受け面５５上における仕切部５８の内側に入った位置には補助排水孔５９が開口されているから、仕切部５８に残ろうとした除霜水も補助排水孔５９を通ってドレンシュータ４５に滴下する。
【００３７】
本実施形態によれば、４基の庫内ファン４０が、前後２個ずつ上下２段に亘って配され、そのうち上側の２基の庫内ファン４０ｕは、最上段の収納スペース２３ｄに収納された前後２個のコンテナ２６の中央部にそれぞれ正対した形態で配されているから、両コンテナ２６に向けて確実に冷気を吹き付けてその内部に流通させることができ、また、奥側のコンテナ２６と奥壁との間、手前側のコンテナ２６と断熱扉１３との間の隙間を通して、冷気をスムーズに収納室１６の反対の端部側に流すことができる。
【００３８】
また、下側の２基の庫内ファン４０ｄは、上から２段目の棚網２０ｃと正対して配され、言い換えると、両庫内ファン４０ｄの下半分の吹出領域が、同棚網２０ｃと、その下の収納スペース２３ｂに収納されたコンテナ２６の上端との間の隙間と正対しているから、両庫内ファン４０ｄの下半分の吹出領域から吹き出された冷気は、上記した隙間を通り、シュートサイクルを生じることなく収納室１６の反対側の端部まで吹き抜ける。下側の２基の庫内ファン４０ｄの上半分の吹出領域から吹き出されて跳ね返った冷気も、エゼクタ効果によって上記の吹き抜ける流れに乗り、ショートサイクルを起こすことが回避される。下側の２基の庫内ファン４０ｄについても、前後に分かれて配されていることで、上から２段目の収納スペース２３ｃに収納された奥側のコンテナ２６の奥と、手前側のコンテナ２６の手前の隙間にスムーズに冷気を回すことができる。
【００３９】
以上のように、従来冷気が当たり難い等で冷却され難いとされていたところの、最上段の収納スペース２３ｄに収納されたコンテナ２６（蓄冷剤２５）や、吸込口３５に近い高さの上から２段目と３段目の収納スペース２３ｃ，２３ｂに収納されたコンテナ２６（蓄冷剤２５）に対しても冷気が当たりやすくなり、すなわち冷却能力を向上させることができ、収納室１６に収納された蓄冷剤２５を全域に亘ってむらなく冷却（凍結）することができる。
【００４０】
＜実施形態２＞
蓄冷剤凍結庫によっては、蓄冷剤２５すなわちコンテナ２６の大きさが異なるものを収納すること等に対応して、棚網２０の数と装着高さとを異にした態様で使用することがある。その場合は、実施形態１で説明したように、最上段のコンテナ２６に確実に冷気を当て、また吸込口３５に近い箇所でのショートサイクルを防止するためには、ダクトパネル１５上における庫内ファン４０の配設位置も変更する必要がある。
【００４１】
そこで、図１の鎖線で概念的に示すように、ダクトパネル１５における庫内ファン４０の装着領域に装着開口６０を形成する一方、ファン装着板６３に対して、棚網２０の各種配設態様に適合した配置で庫内ファン４０を装着したファンユニット６２を各種備え、棚網２０の配設態様に応じて適正なファンユニット６２を選択して、装着開口６０に対して取り付けるようにするとよい。  
凍結庫の使用形態に応じて庫内ファン４０の配設位置を適合させる場合に、ファンユニット６２を選択して装着するだけでよいから、ダクトパネル１５ごと変更する場合と比べて、安価にかつ簡単な作業で対応することができる。
【００４２】
＜他の実施形態＞
本発明は上記記述及び図面によって説明した実施形態に限定されるものではなく、例えば次のような実施形態も本発明の技術的範囲に含まれる。  
（１）棚網の配設態様等の条件に応じ、庫内ファンの装着段数は２段以上任意である。  
（２）各段における庫内ファンの奥行方向の数は、１基でもよく、また３基以上であってもよい。また、段ごとに庫内ファンの数を変更するようにしてもよい。  
（３）本発明は上記実施形態に例示した蓄冷剤凍結庫に限らず、加熱調理した食品等を急速に凍結する急速凍結庫等、要は、ダクトパネルを挟んだ一側に、複数の棚網が多段に配された収納室が設けられる一方、他側の冷却器室内に冷却器が配されて、ダクトパネルにおける冷却器の正面に吸込口が形成され、かつ同吸込口よりも上方の領域に庫内ファンが複数段に亘って配設された冷却庫全般に広く適用することができる。
【符号の説明】
【００４３】
１０…凍結庫本体（冷却庫本体）  １３…断熱扉  １５…ダクトパネル  １６…収納室  １７…冷却器室  ２０，２０ａ〜２０ｄ…棚網  ２１…棚柱  ２３，２３ａ〜２３ｄ…収納スペース  ２５…蓄冷剤（被冷却物）  ２６…コンテナ（収容箱）  ２７…通孔  ３０…冷却器  ３５…吸込口  ４０，４０ｕ，４０ｄ…庫内ファン  ６０…装着開口  ６２…ファンユニット  ６３…ファン装着板
【図１】
2012047389.tif 000003
【図２】
2012047389.tif 000004
【図３】
2012047389.tif 000005
【図４】
2012047389.tif 000006
【図５】
2012047389.tif 000007
【図６】
2012047389.tif 000008
【図７】
2012047389.tif 000009
【図８】
2012047389.tif 000010